(57)【要約】  外部の電源装置（１０）に取り付けられ、電源装置からの供給電圧で動作する電子機器は、供給電圧が供給されるトランス（２２）と、トランスの出力電圧により充電される電気二重層キャパシタ（２６，２８）と、トランスの出力に接続される変圧器（３６）と、変圧器の出力電圧が電源端子に供給される処理部（３８）と、電源装置から供給される電圧が供給される第１、第２フォトカプラ（５６，６８）と、第２フォトカプラ（６８）の１次側に接続されるキャパシタ（６２）と、を具備する。第２フォトカプラの１次側は電源装置内でプルダウン抵抗（１４）を介して接地される。処理部は、第１、第２フォトカプラの出力が供給される第１、第２端子（ＧＰＩ１，ＧＰＩ２）と、電気二重層キャパシタの充電電圧が供給される第３端子（ＡＤＣ）とを具備し、第１、第２、第３端子の状態の組み合わせに応じて停電発生、または電源装置からの電子機器の取り外しを検出する。
2016084159.tif 000002
【特許請求の範囲】
【請求項１】
外部の電源装置に取り付けられ、前記電源装置から供給される電圧で動作する電子機器であって、
前記電源装置から供給される電圧が供給されるトランスと、
前記トランスの出力電圧により充電される電気二重層キャパシタと、
前記トランスの出力に接続される変圧器と、
前記変圧器の出力電圧が電源端子に供給される処理部と、
前記電源装置から供給される電圧が供給される第１、第２フォトカプラと、
前記第２フォトカプラの１次側に接続されるキャパシタと、を具備し、
前記第２フォトカプラの１次側は前記電源装置内でプルダウン抵抗を介して接地され、
前記処理部は、前記第１、第２フォトカプラの出力が供給される第１、第２端子と、前記電気二重層キャパシタの充電電圧が供給される第３端子とを具備し、前記第１、第２、第３端子の状態の組み合わせに応じて停電発生、または前記電源装置からの前記電子機器の取り外しを検出する電子機器。
【請求項２】
前記処理部は、前記第１端子のレベル変化に応答して停電発生有無の判定を開始し、前記第２端子のレベル変化に応答して取り外しか否かの判定を開始する請求項１記載の電子機器。
【請求項３】
前記処理部は、前記第１端子のレベルが所定のレベルであることを所定回数検出した場合、停電発生または取り外しを検出する請求項２記載の電子機器。
【請求項４】
前記処理部は、前記第１端子のレベル変化あるいはパワーオンリセットに応答して停電から復旧したか否かの判定、または再装着か否かの判定を開始する請求項１記載の電子機器。
【請求項５】
前記処理部は、前記第１端子のレベルと前記第３端子のレベルが所定のレベルであることを所定回数検出した場合、停電から復旧したことを検出し、
前記処理部は、前記第１端子のレベルと前記第２端子のレベルと前記第３端子のレベルが所定のレベルであることを所定回数検出した場合、再装着を検出する請求項４記載の電子機器。
【請求項６】
前記電源装置は電力量計であり、前記処理部は前記電力量計、他のメータあるいはネットワークと通信する通信部であり、停電検出結果または取り外し検出結果をネットワークへ送信するとともに、受信した検針データをネットワークへ送信する請求項１記載の電子機器。
【請求項７】
外部の電源装置に取り付けられ、前記電源装置から供給される電圧で動作し、前記電源電圧が供給されるトランスと、前記トランスの出力電圧により充電される電気二重層キャパシタと、前記トランスの出力電圧を電源電圧に変換する変圧器と、前記変圧器の出力電圧が電源端子に供給される処理部と、前記電源電圧が供給される第１、第２フォトカプラと、前記第２フォトカプラの１次側に接続されるキャパシタと、を具備し、前記第２フォトカプラの１次側は前記電源装置内でプルダウン抵抗を介して接地され、前記処理部は、前記第１、第２フォトカプラの出力が供給される第１、第２端子と、前記電気二重層キャパシタの充電電圧が供給される第３端子とを具備する電子機器の方法であって、
前記第１、第２、第３端子の状態の組み合わせに応じて停電発生、または前記電源装置からの前記電子機器の取り外しを検出する方法。
【請求項８】
前記第１端子のレベル変化に応答して停電発生有無の判定を開始し、前記第２端子のレベル変化に応答して取り外しか否かの判定を開始する請求項７記載の方法。
【請求項９】
前記第１端子のレベルが所定のレベルであることを所定回数検出した場合、停電発生または取り外しを検出する請求項８記載の方法。
【請求項１０】
前記第１端子のレベル変化あるいはパワーオンリセットに応答して停電から復旧したか否かの判定、または再装着か否かの判定を開始する請求項７記載の方法。
【請求項１１】
前記第１端子のレベルと前記第３端子のレベルが所定のレベルであることを所定回数検出した場合、停電から復旧したことを検出し、
前記第１端子のレベルと前記第２端子のレベルと前記第３端子のレベルが所定のレベルであることを所定回数検出した場合、再装着を検出する請求項１０記載の方法。
【請求項１２】
前記電源装置は電力量計であり、前記処理部は前記電力量計、他のメータあるいはネットワークと通信する通信部であり、
前記処理部は前記電力量計または前記他のメータから検針データを受信し、
受信した検針データをネットワークへ送信し、
停電検出結果または取り外し検出結果をネットワークへ送信する請求項７記載の方法。
【請求項１３】
電源装置と、
前記電源装置に取り付けられる通信装置と、を具備する電子機器であって、
前記電源装置は、
前記通信装置と通信する第１通信機と、
商用電源から直流電圧を作るコンバータと、
商用電源の接地にプルダウン抵抗を介して接続される検出端子と、を具備し、
前記通信装置は、
前記第１通信機と通信する第２通信機と、
前記コンバータの出力が供給されるトランスと、
前記トランスの出力電圧により充電される電気二重層キャパシタと、
前記トランスの出力電圧を変圧して前記第２通信機に供給する変圧器と、
前記コンバータの出力が供給される第１、第２フォトカプラと、
前記第２フォトカプラの１次側に接続されるキャパシタと、を具備し、
前記第２通信機は、前記第１、第２フォトカプラの出力が供給される第１、第２端子と、前記電気二重層キャパシタの充電電圧が供給される第３端子とを具備し、前記第１、第２、第３端子の状態の組み合わせに応じて停電発生、または前記電源装置からの前記電子機器の取り外しを検出する電子機器。
【請求項１４】
前記処理部は、前記第１端子のレベル変化に応答して停電発生有無の判定を開始し、前記第２端子のレベル変化に応答して取り外しか否かの判定を開始する請求項１３記載の電子機器。
【請求項１５】
前記処理部は、前記第１端子のレベルが所定のレベルであることを所定回数検出した場合、停電発生または取り外しを検出する請求項１４記載の電子機器。
【請求項１６】
前記処理部は、前記第１端子のレベル変化あるいはパワーオンリセットに応答して停電から復旧したか否かの判定、または再装着か否かの判定を開始する請求項１３記載の電子機器。
【請求項１７】
前記処理部は、前記第１端子のレベルと前記第３端子のレベルが所定のレベルであることを所定回数検出した場合、停電から復旧したことを検出し、
前記処理部は、前記第１端子のレベルと前記第２端子のレベルと前記第３端子のレベルが所定のレベルであることを所定回数検出した場合、再装着を検出する請求項１６記載の電子機器。
【請求項１８】
前記電源装置は電力量計であり、前記処理部は前記電力量計、他のメータあるいはネットワークと通信する通信部であり、停電検出結果または取り外し検出結果をネットワークへ送信するとともに、受信した検針データをネットワークへ送信する請求項１３記載の電子機器。
【発明の詳細な説明】
【技術分野】
【０００１】
本発明は、他の機器に接続され他の機器から供給される電圧で動作する電子機器に関する。
【背景技術】
【０００２】
このような機器の一例としてスマートメータシステムで使用される電力量計用の通信ハブがある。スマートメータシステムでは、電力量計の検針データをネットワーク側（例えば電力会社）のサーバへ送信する必要がある。そのため、ネットワークとの通信機能を有する通信ハブを電力量計に取り付けることが検討されている。電力量計は屋外に設置されることもあるので、それに取り付けられる通信ハブは電源を含まず、電力量計の電源により動作することが考えられている。電力量計と通信ハブとのコネクタに電力量計から駆動電圧を通信ハブに供給する端子が設けられる。電力量計に取り付けられる通信ハブは着脱自在であると、いたずらにより通信ハブを電力量計から取り外されるおそれがある。あるいは、電力量計に対して取り外しを考慮せず強固に取り付けたとしても、改ざん等の目的で通信ハブが電力量計から無理やり取り外されるおそれもある。そのため、通信ハブの電力量計からの取り外しを検出することが望まれている。また、通信ハブは常時動作することが要求されているので、停電による電力量計からの電源断の検出も必要である。
【先行技術文献】
【特許文献】
【０００３】
【特許文献１】特開2010-160651号公報
【特許文献２】特表2005-507707号公報
【特許文献３】米国特許第6,246,677号明細書
【特許文献４】特開2012-232157号公報
【発明の概要】
【発明が解決しようとする課題】
【０００４】
停電時も通信ハブが電力量計から取り外された時も、通信ハブは電源が断たれるので、両者を区別して検出することが望まれている。
【課題を解決するための手段】
【０００５】
上記の課題を解決するために、実施例に係る電子機器は、外部の電源装置に取り付けられ、電源装置から供給される電圧で動作する。この電子機器は、電源装置から供給される電圧が供給されるトランスと、トランスの出力電圧により充電される電気二重層キャパシタと、トランスの出力に接続される変圧器と、変圧器の出力電圧が電源端子に供給される処理部と、電源装置から供給される電圧が供給される第１、第２フォトカプラと、第２フォトカプラの１次側に接続されるキャパシタと、を具備する。第２フォトカプラの１次側は電源装置内でプルダウン抵抗を介して接地される。処理部は、第１、第２フォトカプラの出力が供給される第１、第２端子と、電気二重層キャパシタの充電電圧が供給される第３端子とを具備し、第１、第２、第３端子の状態の組み合わせに応じて停電発生、または電源装置からの電子機器の取り外しを検出する。
【図面の簡単な説明】
【０００６】
【図１】図１は、電子機器の実施例の回路構成の一例を示す。
【図２】図２は、スーパーキャパシタの残容量が十分ある場合の停電・復旧検出の一例のタイミングチャートである。
【図３】図３は、スーパーキャパシタの残容量が少ない場合の停電・復旧検出の一例のタイミングチャートである。
【図４】図４は、スーパーキャパシタの残容量が十分ある場合のタンパー・復旧検出の一例のタイミングチャートである。
【図５】図５は、スーパーキャパシタの残容量が少ない場合のタンパー・復旧検出の一例のタイミングチャートである。
【図６】図６は、停電時、取り外し時の各端子の状態の一例を示す状態マトリクスである。
【図７】図７は、停電が発生した時の通信ハブの状態遷移図の一例を示す。
【図８】図８は、停電が発生した時の通信ハブの状態の定義の一例を示す。
【図９】図９は、電力量計から取り外された時の通信ハブの状態遷移図の一例を示す。
【図１０】図１０は、電力量計から取り外された時の通信ハブの状態の定義の一例を示す。
【図１１】図１１は、電子機器の他の実施例の回路構成の一例を示す。
【発明を実施するための形態】
【０００７】
以下、本発明の実施例について、詳細に説明する。
【０００８】
実施例としては、スマートメータシステムで使用される電力量計用の通信ハブを説明するが、これに限らず、他の機器に接続され、他の機器から供給された電源電圧により動作する機器であれば何でもよく、通信ハブに限定されない。
【０００９】
図１は、通信ハブの電源関係の回路構成の一例を示す図である。電源以外の機能、例えば通信機能等の詳細は図示省略する。通信ハブは電力量計１０とは別体であり、電力量計１０に後付けされるので、コネクタを用いて着脱自在に構成されてもよい。しかし、製造者側で取り外し不能な状態で通信ハブを電力量計１０に強固に取り付けてもよい。通信ハブが電力量計に正常に取り付けられると、両者を接続するコネクタの端子を介して電力量計１０から通信ハブに電源が供給される。電力量計１０は、通常の商用電源（例えば、日本では交流２００Ｖあるいは１００Ｖ、イギリスでは２４０Ｖ）６が印加されている。商用電源６の電源ラインは、例えば交流２４０Ｖのニュートラルラインと、絶縁されていない接地レベルのライブラインとを含む。
【００１０】
電力量計１０は、ＡＣ／ＤＣコンバータ１２、タンパー検出用プルダウン抵抗１４、ジグビー（ＺｉｇＢｅｅ）デバイス１６、アンテナ１８、積算部１９等を含む。ニュートラルラインからの交流電圧がＡＣ／ＤＣコンバータ１２に供給され、交流電圧が直流電圧（例えば、ＤＣ１２Ｖ）に変換され、コネクタを介して通信ハブに電源として供給される。ライブラインが電力量計１０を素通りして通信ハブの接地ラインに接続される。電力量計１０と通信ハブの間のコネクタには、ＤＣ１２Ｖ端子、ライブライン端子の他にタンパー検出端子MT_PRが設けられる。通信ハブのタンパー検出端子MT_PRは電力量計１０内でプルダウン抵抗１４（例えば１０Ω）を介してライブラインに接続される。
【００１１】
図示しない電気機器が接続される家庭内配線が電力量計１０に接続され、電気機器の電力消費量の積算値が積算部１９で求められる。積算電力はジグビーデバイス１６、アンテナ１８を用いて通信ハブに送信される。通信ハブは電力量計１０に取り付けられ、電力量計１０からコネクタを介して電源電圧が供給されるが、電力量計１０の検針データ（積算電力）はコネクタを介して通信ハブに送信されず、ジグビー規格の無線通信により電力量計１０から通信ハブに送信される。しかし、上記構成に限定されず、電力量計１０の検針データをコネクタ経由で通信ハブに送信してもよい。
【００１２】
なお、家庭内の電力量計以外の他のメータ、例えばガスメータからのガスの使用量データ、水道メータからの水道の使用量データもそれぞれのメータに含まれるジグビーデバイスから通信ハブに送信される。すなわち、通信ハブは電力量計のみならず各種メータからの検針データを集約し、定期的（例えば３０分間隔）にネットワーク側へ送信することができる。しかし、必ずしも、上記構成に限定されず、電力量計１０の検針データのみがコネクタ経由で通信ハブに送信され、通信ハブは電力量計１０の検針データのみをジグビー規格の無線通信によりネットワーク側へ送信してもよい。
【００１３】
電力量計１０から通信ハブに供給された例えば１２Ｖの直流電圧はトランス２２を介して変圧され、ダイオード２４を介して例えば４．２ＶのＶｓｙｓ電圧として出力される。トランス２２の１次巻線の両端は抵抗１６、ダイオード１８を介して互いに接続される。トランス２２の１次側にはＤＣ／ＤＣコンバータ５４も接続され、ＤＣ１２ＶがＤＣ／ＤＣコンバータ５４にも供給される。トランス２２の２次巻線の両端は電気二重層キャパシタ（以下スーパーキャパシタと称する）２６、２８を直列に介して互いに接続され、トランス２２の出力電圧Ｖｓｙｓはスーパーキャパシタ２６、２８に充電される。スーパーキャパシタ２６の一端はダイオード２４に接続され、スーパーキャパシタ２８の一端は接地される。例えば、スーパーキャパシタ２６、２８はそれぞれ２５Ｆの容量であり、直列接続されたスーパーキャパシタ２６、２８の容量は１２．５Ｆである。この容量は、ＤＣ１２Ｖの通信ハブへの供給が断たれても、トランス２２の出力電圧Ｖｓｙｓを一定時間保つことができる値に設定される。
【００１４】
通信ハブは複数、例えば３つの無線通信デバイス、例えば２Ｇ／３Ｇデバイス３２、ジグビーデバイス３８、ＲＦメッシュデバイス（ＩＥＥＥ８０２．１５．４規格の無線マルチホップ方式）４８を含む。このうち、ジグビーデバイス３８は各種メータから検針データを受信するためのものであり、２Ｇ／３Ｇデバイス３２とＲＦメッシュデバイス４８は各種メータから受信した検針データをネットワーク側へ送信するためのものである。２Ｇ／３Ｇデバイス３２は携帯電話回線を用いて通信するものであり、郊外や住宅が密集していない地方で主に採用される。ＲＦメッシュデバイス４８はメータ（通信ハブ）間をホップして通信するものであり、住宅が密集している都心部で主に採用される。なお、ネットワークとの通信は無線に限らず、電力線を用いた通信でもよい。電力線を用いた通信はマンション、ビル等で主に採用される。ネットワークとの通信に使うデバイスは、環境に応じて選択される。
【００１５】
２Ｇ／３Ｇデバイス３２の動作電圧は３．４Ｖ〜４．２Ｖ（Typ：標準は３．８Ｖ）であるが、ジグビーデバイス３８、ＲＦメッシュデバイス４８の動作電圧は３．３Ｖ（Typ）である。スーパーキャパシタの電圧はＤＣ１２Ｖが断たれると４．２Ｖから減少する為、トランス２２の出力Ｖｓｙｓはアップコンバータ３０を介して例えばＤＣ４．２Ｖに昇圧され、２Ｇ／３Ｇデバイス３２の電源端子Ｖccに供給される。２Ｇ／３Ｇデバイス３２はアンテナ３４を介して携帯電話通信の基地局と通信することにより、検針データを例えば電力会社のサーバへ送信する。
【００１６】
トランス２２の出力ＶｓｙｓはＬＤＯ(Low Drop Out)レギュレータ３６を介して３．３Ｖに変圧され、ジグビーデバイス３８の電源端子Ｖccに供給される。ジグビーデバイス３８はアンテナ４０を介して各種メータと通信することにより、各種メータからの検針データを受信する。
【００１７】
トランス２２の出力ＶｓｙｓはＬＤＯレギュレータ４６を介して３．３Ｖに変圧され、ＲＦメッシュデバイス４８の電源端子Ｖccに供給される。ＲＦメッシュデバイス４８はアンテナ５０を介して他の通信ハブ間をホップしてコンセントレータに検針データを送信する。
【００１８】
２Ｇ／３Ｇデバイス３２、ジグビーデバイス３８、ＲＦメッシュデバイス４８には、システムコントローラ５２が接続され、検針データの送受信が制御される。例えば、ジグビーデバイス３８で受信した各種メータからの検針データがシステムコントローラ５２の制御の下、２Ｇ／３Ｇデバイス３２あるいはＲＦメッシュデバイス４８からネットワーク側へ送信される。
【００１９】
なお、通信ハブは停電発生開始から３０秒間は動作し、その間にネットワークへ停電の発生を知らせるように設計されている。そのため、電力量計１０からＤＣ１２Ｖの供給が断たれても３０秒間はＶｓｙｓを維持できるように、スーパーキャパシタ２６、２８の容量が決められている。この３０秒間に通信ハブはLast Gasp動作を行い、２Ｇ／３Ｇデバイス３２あるいはＲＦメッシュデバイス４８を用いてネットワーク側に停電の発生を伝えることができる。ネットワーク側は停電の発生が伝えられると、適宜な処置を取ることができる。ネットワーク側に停電の発生を伝えた後は、通信ハブは動作停止してもよい。停電はエリアで発生するので、停電時は多数の通信ハブがネットワークへ一斉に送信するので、ネットワークが混雑し、リトライが必要になる。リトライは３回までとされており、３回のリトライのために３０秒間は必要になる。
【００２０】
通信ハブは電力量計１０と同様に屋外に設置されることが多いので、停電後３０秒の動作を保証するための電源として電池を使うのは、安全性、長期信頼性の点で課題がある。本実施例では電池を使わず、受動部品であるキャパシタの容量が大きいスーパーキャパシタあるいはウルトラキャパシタと呼ばれる電気二重層キャパシタ２６、２８を使うので、これらの懸念を低減できる。
【００２１】
停電検出／タンパー検出は電力量計１０から供給される電源電圧の変化を利用するので、これらの検出はいずれかの通信デバイスで行なわれる。ここでは、一例としてジグビーデバイス３８で停電検出／タンパー検出が行なわれる例を説明する。他のデバイスも同様に変形することにより、他のデバイスでも検出可能である。ジグビーデバイス３８は停電検出／タンパー検出のために、ＧＰＩ１端子、ＧＰＩ２端子、ＡＤＣ端子を含む。
【００２２】
電力量計１０からの電圧は非絶縁電圧であるので、通信ハブの上記検出機能を実現する回路を電力量計１０から絶縁することが望まれる。そのため、トランス２２の出力Ｖｓｙｓはジグビーデバイス３８のＡＤＣ端子に接続されるが、電力量計１０から供給されるＤＣ１２Ｖはフォトカプラ５６、６８を介してジグビーデバイス３８のＧＰＩ１端子、ＧＰＩ２端子に接続される。これにより、ジグビーデバイス３８は商用電源から絶縁される。
【００２３】
フォトカプラ５６のＬＥＤのアノードは抵抗５５を介してＤＣ１２Ｖラインに接続され、カソードはライブラインに接続される。フォトカプラ５６のフォトトランジスタのコレクタがＧＰＩ１端子に接続されるとともにキャパシタ５８を介して接地される。フォトカプラ５６のフォトトランジスタ５６のエミッタは抵抗６０を介して接地される。ＧＰＩ１端子は抵抗４２を介してＬＤＯレギュレータ３６の出力電圧３．３Ｖに接続される。
【００２４】
このように、１次側のＤＣ１２Ｃをフォトカプラ５６で反転して２次側に伝達し、その変化をＧＰＩ１端子で検出する。その際、トランス２２の２次側にはスーパーキャパシタ２６、２８が接続されており、電源（ＤＣ１２Ｖ）の供給が途絶えても、トランス２２の出力電圧Ｖｓｙｓは一定時間は維持されている為、その間ジグビーデバイス３８は動作を続けることができ、ＧＰＩ１端子のLow→Highの変化を検出することが出来る。
【００２５】
フォトカプラ６８のＬＥＤのアノードはタンパー検出端子MT_PRに接続されるとともに、抵抗６６(例えば５１０Ω)、ダイオード６４を介してＤＣ１２Ｖラインに接続される。抵抗６６とダイオード６４の接続点はキャパシタ６２（例えば２２μＦ）を介してライブラインに接続される。タンパー検出端子MT_PRは電力量計１０内でプルダウン抵抗１４を介してライブラインに接続されているので、フォトカプラ６８のＬＥＤのアノードもプルダウン抵抗１４を介してライブラインに接続される。フォトカプラ６８のＬＥＤのカソードはライブラインに接続される。すなわち、フォトカプラ６８のＬＥＤのアノード、カソード間にはプルダウン抵抗１４が接続される。フォトカプラ６８のフォトトランジスタのコレクタがＧＰＩ２端子に接続されるとともにキャパシタ７０を介して接地される。フォトトランジスタ６８のエミッタは抵抗７２を介して接地される。ＧＰＩ２端子は抵抗４４を介してＬＤＯレギュレータ３６の出力電圧３．３Ｖに接続される。
【００２６】
このように、タンパー検出端子MT_PRは電力量計１０内で抵抗１４を介してプルダウンされているが、通信ハブ内の一次側では抵抗６６を介してＤＣ１２Ｖにプルアップされているので、通信ハブが電力量計１０から取り外されると、タンパー検出信号MT_PRはLow→Highに切り替わる。電力量計１０からの取り外しにより電源（ＤＣ１２Ｖ）の供給が途絶えても、抵抗６６、ダイオード６４の接続点とライブラインとの間に２２μＦのキャパシタ６２が接続されているので、タンパー検出信号MT_PRを暫くの間highに保つことが出来る。
【００２７】
１次側のＤＣ１２Ｃをフォトカプラ６８で反転して２次側に伝達し、この変化をＧＰＩ２端子で検出する。その際、トランス２２の２次側にはスーパーキャパシタ２６、２８が接続されており、電源（ＤＣ１２Ｖ）の供給が途絶えても、トランス２２の出力電圧Ｖｓｙｓは一定時間は維持されている為、その間ジグビーデバイス３８は動作を続けることができ、ＧＰＩ２端子のHigh→Lowの変化を検出することが出来る。
【００２８】
図２、図３は、停電及び停電からの復旧を検出する動作を示すタイミングチャートである。停電及び停電からの復旧はトランス２２の２次側のスーパーキャパシタ２６、２８の充電電荷を利用して検出するが、充電容量は停電発生直後から徐々に減少する。そのため、スーパーキャパシタ２６、２８の充電電荷の残容量が十分ある場合と、少ない場合とで検出動作が異なる。図２は、停電発生直後の充電電荷の残容量が十分ある状態で停電から復旧する場合のタイミングチャートであり、図３は停電発生から時間が経過し、充電電荷の残容量が少ない状態で停電から復旧する場合のタイミングチャートである。
【００２９】
図２は、スーパーキャパシタ２６、２８の残容量が十分あり、ＧＰＩ１端子がHighを保っている状態で停電から復旧する場合の動作を示す。
【００３０】
電力量計１０では出力端子に容量が接続されているので、停電が発生した場合、通信ハブ内のＤＣ１２Ｖラインの電圧は徐々に低下し、閾値以下に低下すると、フォトカプラ５６がオフとなり、ＬＥＤが発光停止する。そのため、フォトカプラ５６の出力がLow→Highとなり、ＧＰＩ１端子がLow→Highに変化する。ジグビーデバイス３８はＧＰＩ１端子がLow→Highに変化すると、割り込みを検知し、その後、所定時間、例えば１秒毎にＧＰＩ１端子の状態をモニタし、Highが２回続くと、ネットワーク側へ停電検出を伝えるLast Gasp動作を開始する。具体的には、ジグビーデバイス３８はシステムコントローラ５２に停電検出を伝える。システムコントローラ５２は、２Ｇ／３Ｇデバイス３２あるいはＲＦメッシュデバイス４８を用いてネットワーク側の電力会社のサーバに停電検出を伝える。電力会社はこれを受けて復旧作業を開始することができ、停電からの復旧時間を短縮することができる。
【００３１】
なお、ＧＰＩ１端子のLow→Highの変化で直ちに停電検出しないのは、不安定な動作に基づく誤検出の可能性を避けるためである。そのため、動作が安定している場合は、割り込み検知で直ぐに停電を検出してもよい。また、割り込み検知で直ぐに停電を検出しない場合、Highの検出回数は２回に限らず、１回でも、３回以上でもよいし、検出間隔も１秒に限らず、任意の（一定ではない場合も含む）間隔でよい。
【００３２】
電源が停電から復旧し、ＤＣ１２Ｖラインが閾値以上に上昇すると、フォトカプラ５６がオンとなり、その出力がLowとなり、ＧＰＩ１端子がHigh→Lowに変化する。ジグビーデバイス３８はＧＰＩ１端子がHigh→Lowに変化すると、割り込みを検知し、その後、所定時間、例えば１．５秒毎にＧＰＩ１端子の状態と、Ｖｓｙｓが供給されているＡＤＣ端子の状態をモニタし、ＧＰＩ１＝Low、ＡＤＣ＝High（スーパーキャパシタ２６、２８の充電電荷により停電からの復旧時までＶｓｙｓがHighを保っている）が２回続くと、停電からの復旧を知らせるパワーオンをネットワーク側へ伝える。この復旧検出も、停電検出と同様に、割り込みで直ちに検出してもよいし、複数回の検出で検出する場合、回数等は適宜変更可能である。
【００３３】
図３は、停電からの復旧まで長時間経過し、停電中にスーパーキャパシタ２６、２８の充電電荷が減ってしまい、ＶｓｙｓがLowに変化してしまった状態で復旧する場合の動作を示す。
【００３４】
停電発生時は、図２の場合と同等に、ＤＣ１２Ｖラインの電圧が閾値以下に低下し、ＧＰＩ１端子がLow→Highに変化後、１秒毎に端子ＧＰＩ１の状態をモニタし、Highが２回続くと、ネットワーク側へ停電検出を伝えるLast Gasp動作を開始する。図２の場合は、電源が復旧するまでスーパーキャパシタ２６、２８の充電電荷によりＶｓｙｓがHighを保っているが、図３の場合は、復旧前にＶｓｙｓが低下し、ＡＤＣ端子がLowに変化している。
【００３５】
その後、停電から復旧し、ＤＣ１２Ｖラインの電圧が上昇し、Ｖｓｙｓも上昇する。Ｖｓｙｓが閾値（例えば、３．８Ｖ）以上となると、スーパーキャパシタ２６、２８の電圧が正常に充電出来ていると判断でき、パワーオンリセット動作がされ、システムが再起動される。
【００３６】
フォトカプラ５６のフォトトランジスタはＶｓｙｓにプルアップされているので、ＤＣ１２Ｖが復帰してＶｓｙｓが回復した後に、システムがオンし端子ＧＰＩ１のレベルを調べると、フォトカプラ５６のＬＥＤはオンとなるが、その出力はLowのままであり、ＧＰＩ１端子もLowのままである。そのため、図２の場合のように、停電復旧検出のトリガとしてＧＰＩ１端子のHigh→Lowへの変化を検出することができない。そこで、この場合は、ジグビーデバイス３８はパワーオンリセット動作後、所定時間、例えば６０秒以上経過後にＧＰＩ１端子の状態と、Ｖｓｙｓが供給されているＡＤＣ端子の状態をモニタし、ＧＰＩ１＝Low、ＡＤＣ＝Highであると、ネットワーク側へパワーオンを伝える。
【００３７】
すなわち、ジグビーデバイス３８は、ＧＰＩ１端子がLow→Highへ変化すると、ＧＰＩ１端子の状態のモニタを開始する。ＧＰＩ１端子のHighを所定回数検出すると、停電を検出し、ネットワーク側へ停電検出を伝える。電源が復旧し、ＧＰＩ１端子がHigh→Lowに変化すると、ＧＰＩ１端子と、Ｖｓｙｓが供給されているＡＤＣ端子の状態のモニタを開始する。ＧＰＩ１＝Low、ＡＤＣ＝Highを所定回数検出すると、ネットワーク側へパワーオンを伝える。停電の発生から停電からの復旧までの時間が短く、Ｖｓｙｓに基づいて生成された駆動電圧３．３Ｖがジグビーデバイス３８に供給されている間に電源が復旧した場合は、上記動作をするが、停電の発生から停電からの復旧までの時間が長く、電源復旧前にジグビーデバイス３８の駆動電圧が遮断した場合は、ＧＰＩ１端子のHigh→Lowへの変化を検出できない。その場合は、図３に示すように、電源が復旧し、パワーオンリセットしてから、所定時間経過後にＧＰＩ１端子と、ＡＤＣ端子の状態をモニタし、ＧＰＩ１＝Low、ＡＤＣ＝Highが２回続くと、ネットワーク側へパワーオンを伝える。
【００３８】
言い換えると、ＧＰＩ１端子がLow→Highへ変化してから所定時間後、ＧＰＩ１端子がHighであることを２回検出した場合、停電発生を検出することができる。ＧＰＩ１端子のHigh→Lowへの変化から所定時間後あるいはパワーオンリセットしてから所定時間後、ＧＰＩ１端子がLowでＡＤＣ端子がHighであることを２回検出した場合、停電からの復旧を検出することができる。なお、検出回数は２回に限らず、１回でも３回以上でも良い。
【００３９】
図４、図５は、電力量計１０から通信ハブが取り外された場合のタンパー検出及び再装着検出時のタイミングチャートである。停電検出と同様、スーパーキャパシタ２６、２８の残電荷容量に応じてＧＰＩ２端子の状態に変化が生じる。図４は、取り外し直後の残容量が十分ある状態で再装着した場合のタイミングチャートであり、図５は取り外しから時間が経過し、残容量が少ない状態で再装着した場合のタイミングチャートである。
【００４０】
図４は、スーパーキャパシタ２６、２８の残容量が十分あり、ＧＰＩ２端子がHighを保っている状態で再装着した場合を示す。
【００４１】
電力量計１０から通信ハブが取り外されると、電力量計１０からのＤＣ１２Ｖの供給も途絶えるが、フォトカプラ６８の１次側のキャパシタ６２の充電電荷によりタンパー検出信号MT_PRの状態がLow→Highと変化する。この変化がフォトカプラ６８で反転されてＧＰＩ２端子に伝達され、ＧＰＩ２端子の状態がHigh→Lowに変化する。ジグビーデバイス３８はタンパー検出端子ＧＰＩ２がHigh→Lowに変化後、所定時間、例えば１秒毎に端子ＧＰＩ１の状態をモニタし、Highが２回続くと、ネットワーク側へタンパー検出（取り外し検出）を伝える。ネットワーク側はタンパー検出が伝えられると、適宜な処置を取ることができる。
【００４２】
なお、タンパー検出信号MT_PRの状態はLow→Highへ変化後、フォトカプラ６８の１次側のキャパシタ６２の放電に伴い、徐々に減少する。タンパー検出信号MT_PRの低下に伴い、フォトカプラ６８のＬＥＤの発光量も低下する。タンパー検出信号MT_PRがHighからLowに低下する期間は、フォトカプラ６８に流れる電流を３ｍＡとすると、８８ｍｓ（＝２２μＦ×１２Ｖ／３ｍＡ）である。フォトカプラ６８のＬＥＤの発光量が０となると、フォトカプラ６８の出力はHighに戻り、ＧＰＩ２端子もHighとなる。しかし、ＧＰＩ２端子の状態は、ハードウェアのバラツキなどにより確実な状態保持期間が担保出来ない可能性があるので、検出判断には使用しない。
【００４３】
電力量計１０から取り外し後、再び通信ハブが電力量計１０に装着されると、ＤＣ１２Ｖの供給が再開し、フォトカプラ５６がオンとなり、それらの出力がLowとなり、ＧＰＩ１端子がHigh→Lowに変化する。ジグビーデバイス３８はＧＰＩ１端子がHigh→Lowに変化後、所定時間、例えば１．５秒毎にＧＰＩ１端子の状態と、ＧＰＩ２端子の状態と、Ｖｓｙｓが供給されているＡＤＣ端子の状態をモニタし、ＧＰＩ１＝Low、ＧＰＩ２＝High、ＡＤＣ＝High（スーパーキャパシタ２６、２８の充電電荷により取り外しから再装着時までＶｓｙｓがHighを保っている）が２回続くと、再装着を知らせるパワーオンをネットワーク側へ伝える。
【００４４】
図５は、取り外しから再装着まで長時間経過し、取り外し中にスーパーキャパシタ２６、２８の充電電荷が減ってしまい、ＶｓｙｓがLowに変化してしまった状態で再装着する場合の動作を示す。
【００４５】
取り外されると、図４の場合と同等に、タンパー検出信号MT_PRの状態がLow→Highと変化する。この変化がフォトカプラ６８で反転されてＧＰＩ２端子に伝達され、ＧＰＩ２端子の状態がHigh→Lowに変化する。ジグビーデバイス３８はタンパー検出端子ＧＰＩ２がHigh→Lowに変化後、所定時間、例えば１秒毎に端子ＧＰＩ１の状態をモニタし、Highが２回続くと、ネットワーク側へタンパー検出を伝える。
【００４６】
電力量計１０から取り外し後、長時間経過すると、スーパーキャパシタ２６、２８の電荷が放電され、Ｖｓｙｓが低下し、ＡＤＣ端子がLowに変化する。この状態で、通信ハブが電力量計１０に再装着されると、ＤＣ１２Ｖの供給が再開し、キャパシタ６２が充電され、Ｖｓｙｓが徐々に上昇する。Ｖｓｙｓが閾値（例えば、３．８Ｖ）以上となると、スーパーキャパシタ２６、２８の電圧が正常に充電出来ていると判断でき、パワーオンリセット動作がされ、システムが再起動される。
【００４７】
システムの再起動により、フォトカプラ５６のＬＥＤはオンとなるが、その出力はLowのままであり、ＧＰＩ１端子もLowのままである。そのため、図４の場合のように、再装着検出のトリガとしてＧＰＩ１端子のHigh→Lowへの変化を検出することができない。そこで、この場合は、ジグビーデバイス３８はパワーオンリセット動作後、所定時間、例えば６０秒以上経過後にＧＰＩ１端子の状態と、ＧＰＩ２端子の状態をモニタし、ＧＰＩ１＝Low、ＧＰＩ２＝High、ＡＤＣ＝Highが２回続くと、ネットワーク側へ再装着を伝える。
【００４８】
すなわち、ジグビーデバイス３８は、ＧＰＩ２端子がHigh→Lowへ変化すると、ＧＰＩ１端子の状態のモニタを開始する。ＧＰＩ１端子のHighを所定回数検出すると、取り外しを検出し、ネットワーク側へ取り外し検出を伝える。通信ハブが再装着され、ＧＰＩ１端子がHigh→Lowに変化すると、ＧＰＩ１端子と、ＧＰＩ２端子と、Ｖｓｙｓが供給されているＡＤＣ端子の状態のモニタを開始する。ＧＰＩ１＝Low、ＧＰＩ２＝High、ＡＤＣ＝Highを所定回数検出すると、ネットワーク側へ再装着を伝える。取り外しから再装着までの時間が短く、Ｖｓｙｓに基づいて生成された駆動電圧３．３Ｖがジグビーデバイス３８に供給されている間に再装着された場合は、上記動作をするが、再装着前にジグビーデバイス３８の駆動電圧が遮断した場合は、ＧＰＩ１端子のHigh→Lowへの変化を検出できない。その場合は、図５に示すように、再装着後パワーオンリセットしてから、所定時間経過後にＧＰＩ１端子と、ＧＰＩ２端子の状態のモニタを開始する。ＧＰＩ１＝Low、ＧＰＩ１＝Highを所定回数検出すると、ネットワーク側へ再装着を伝える。
【００４９】
言い換えると、ＧＰＩ２端子がHigh→Lowへ変化してから所定時間後、ＧＰＩ１端子がHighである場合、タンパー検出が行なわれる。ＧＰＩ１端子のHigh→Lowへの変化から所定時間後あるいはパワーオンリセットしてから所定時間後、ＧＰＩ１端子がLowでＧＰＩ２端子がHighである場合、再装着を検出することができる。
【００５０】
図６は、停電・復旧検出、取り外し（タンパー）・再装着検出時のＧＰＩ１端子、ＧＰＩ２端子、ＡＤＣ端子、Ｖcc端子の状態マトリクスである。ＣＨは通信ハブを示す。ＧＰＩ１端子は電力量計１０からＤＣ１２Ｖが供給されている時はLow、供給されていない時はHighである。ＧＰＩ２端子は通信ハブが電力量計１０に装着されている時はHigh、取り外されている時はLowである。ＡＤＣ端子はスーパーキャパシタ２６、２８が正常に充電出来ているか否かを判定するものであり、３．８Ｖが閾値である。Ｖcc端子は０Ｖか３．３Ｖかである。
【００５１】
図７は停電・復旧検出時の状態遷移図を示す。図８は、図７の各状態の定義を示す。図７では、状態を次の８つの状態に分ける。(1)通常通電時、(2)停電直後、(3)停電直後に電源が復旧した状態、(4)停電から数分経過した状態、(5)停電から数分経過した後電源が復旧した状態、(6)停電から数十分経過した状態、(7)停電から数十分経過した後電源が復旧した状態、(8)停電から数十分経過した後電源が復旧し、それから６０秒経過した状態。
【００５２】
(2)停電直後と、(4)停電から数分経過した状態の２つの状態はどちらもスーパーキャパシタ２６、２８の残容量が残っている状態であるが、Ｖｓｙｓの電圧レベルが判定閾値を下回る場合と下回らない場合がある。
【００５３】
(1)通常通電時、(3)停電直後に電源が復旧した状態、(5)停電から数分経過した後電源が復旧した状態、(8)停電から数十分経過した後電源が復旧し、それから６０秒経過した状態の４つの状態は全て通電時であり同条件であるが、状態遷移図を示す便宜上４つに分けている。
【００５４】
通電中はＧＰＩ１端子がLow、ＧＰＩ２端子がHigh、ＡＤＣ端子が３．８Ｖ以上である。通電中に停電すると、ＧＰＩ１端子がLow→Highに変化し、(1)通常通電時から(2)停電直後に遷移する。(2)停電直後にLast Gasp動作が行なわれるが、その前に停電から復旧すると、ＧＰＩ１端子がHigh→Lowに変化し、(2)停電直後から(3)停電直後に電源が復旧した状態に遷移する。
【００５５】
(2)停電直後にLast Gasp動作が行なわれ、数分経過すると、ＡＤＣ端子が１．０Ｖ〜３．８Ｖとなり、(2)停電直後から(4)停電から数分経過した状態に遷移する。この状態で停電から復旧すると、ＧＰＩ１端子がHigh→Lowに変化し、(4)停電から数分経過した状態から(5)停電から数分経過した後電源が復旧した状態に遷移する。
【００５６】
(4)停電から数分経過した状態からさらに数十分経過すると、ＡＤＣ端子が１．０Ｖ以下、ＧＰＩ２端子がHigh→Lowとなり、(4)停電から数分経過した状態から(5)停電から数十分経過した状態に遷移する。この状態で停電から復旧すると、パワーオンリセット（POR）動作が実行され、(5)停電から数十分経過した状態から(7)停電から数十分経過した後電源が復旧した状態（システム起動中）に遷移する。システム起動中はＡＤＣ端子は１．０Ｖ〜３．８Ｖとなり、ＧＰＩ２端子がLow→Highに変化する。
【００５７】
システム起動から６０秒経過すると、(8)停電から数十分経過した後電源が復旧し、それから６０秒経過した状態に遷移し、ＡＤＣ端子は３．８Ｖ以上となる。
【００５８】
図９はタンパー検出・再装着検出時の状態遷移図を示す。図１０は、図９の各状態の定義を示す。図９では、状態を次の８つの状態に分ける。(1)通信ハブが電力量計へ装着されている状態、(2)通信ハブが電力量計から取り外された状態、(3)取り外し直後に通信ハブが電力量計へ再装着された状態、(4)通信ハブが電力量計から取り外されてから数秒経過した状態、(5)通信ハブが電力量計から取り外されてから数秒経過した状態から通信ハブが電力量計へ再装着された状態、(6-1)通信ハブが電力量計から取り外されてから数分経過した状態（スーパーキャパシタ２６、２８の残容量は十分ある）、(6-2)通信ハブが電力量計から取り外されてから数十分経過した状態（スーパーキャパシタ２６、２８の残容量は殆ど無い）、(7)通信ハブが電力量計から取り外されてから数分もしくは数十分経過した状態から通信ハブが電力量計へ再装着された状態、(8)通信ハブが電力量計から取り外されてから数十分経過した状態から通信ハブが電力量計へ再装着され、さらに６０秒過した状態。
【００５９】
(2)通信ハブが電力量計から取り外された状態と、(4)通信ハブが電力量計から取り外されてから数秒経過した状態はどちらもスーパーキャパシタ２６、２８の残容量が残っている状態であるが、Ｖｓｙｓの電圧レベルが判定閾値を下回る場合と下回らない場合がある。
【００６０】
(1)通信ハブが電力量計へ装着されている状態、(3)取り外し直後に通信ハブが電力量計へ再装着された状態、(5)通信ハブが電力量計から取り外されてから数秒経過した状態から通信ハブが電力量計へ再装着された状態、(8)通信ハブが電力量計から取り外されてから数十分経過した状態から通信ハブが電力量計へ再装着され、さらに６０秒過した状態の４つの状態は全て通信ハブの装着時であり同条件であるが、状態遷移図を示す便宜上４つに分けている。
【００６１】
通信ハブが電力量計へ装着されている状態では、ＧＰＩ１端子がLow、ＧＰＩ２端子がHigh、ＡＤＣ端子が３．８Ｖ以上である。通信ハブが電力量計から取り外されると、ＧＰＩ１端子がLow→High、ＧＰＩ２端子がHigh→Lowに変化し、(1)通信ハブが電力量計へ装着されている状態から(2)通信ハブが電力量計から取り外された状態に遷移する。(2)通信ハブが電力量計から取り外された状態でLast Gasp動作が行なわれるが、その前に再装着されると、ＧＰＩ１端子がHigh→Low、ＧＰＩ２端子がLow→Highに変化し、(2)通信ハブが電力量計から取り外された状態から(3)取り外し直後に通信ハブが電力量計へ再装着された状態に遷移する。
【００６２】
(2)通信ハブが電力量計から取り外された状態でLast Gasp動作が行なわれ、数秒経過すると、ＧＰＩ２端子がLow→Highに変化し、(2)通信ハブが電力量計から取り外された状態から(4)通信ハブが電力量計から取り外されてから数秒経過した状態に遷移する。この状態で再装着されると、ＧＰＩ１端子がHigh→Lowに変化し、(4)通信ハブが電力量計から取り外されてから数秒経過した状態から(5)通信ハブが電力量計から取り外されてから数秒経過した状態から通信ハブが電力量計へ再装着された状態に遷移する。
【００６３】
(4)通信ハブが電力量計から取り外されてから数秒経過した状態からさらに数分経過すると、ＡＤＣ端子が１．０Ｖ〜３．８Ｖとなり、(4)通信ハブが電力量計から取り外されてから数秒経過した状態から(6-1)通信ハブが電力量計から取り外されてから数分経過した状態（シャットダウン）（スーパーキャパシタ２６、２８の残容量は十分ある）に遷移する。この状態で再装着されると、パワーオンリセット動作が実行され、(6-1)通信ハブが電力量計から取り外されてから数分経過した状態から(7)通信ハブが電力量計から取り外されてから数分もしくは数十分経過した状態から通信ハブが電力量計へ再装着された状態（システム起動中）に遷移する。システム起動中はＡＤＣ端子は１．０Ｖ〜３．８Ｖとなり、ＧＰＩ２端子がLow→Highに変化する。
【００６４】
システム起動から６０秒経過すると、(8)通信ハブが電力量計から取り外されてから数十分経過した状態から通信ハブが電力量計へ再装着され、さらに６０秒過した状態に遷移し、ＡＤＣ端子は３．８Ｖ以上となる。
【００６５】
(6-1)通信ハブが電力量計から取り外されてから数分経過した状態（シャットダウン）からさらに数十分経過すると、ＡＤＣ端子は１．０Ｖ以下、ＧＰＩ２端子はHigh→Lowとなり、(6-2)通信ハブが電力量計から取り外されてから数十分経過した状態（スーパーキャパシタ２６、２８の残容量は殆ど無い）に遷移する。この状態で再装着されると、パワーオンリセット動作が実行され、(6-2)通信ハブが電力量計から取り外されてから数十分経過した状態から(7)通信ハブが電力量計から取り外されてから数分もしくは数十分経過した状態から通信ハブが電力量計へ再装着された状態（システム起動中）に遷移する。
【００６６】
以上説明したように、実施例によれば、電力量計１０から出力される直流電圧がトランス２２を介して通信機器の電源電圧とされる。電力量計内で、タンパー検出端子MT_PRはプルダウン抵抗を介して接地ラインに接続される。通信機器は、直流電圧で動作するフォトカプラ５６の出力を受けるＧＰＩ１端子と、タンパー検出端子MT_PRの電圧で動作するフォトカプラ６８の出力を受けるＧＰＩ２端子と、トランスの出力電圧を受けるＡＤＣ端子とを有する。フォトカプラ６８の１次側には電力量計から出力される直流電圧が充電されるキャパシタ６２が接続される。トランスの出力にはその出力電圧が充電されるスーパーキャパシタ２６、２８が接続される。
【００６７】
停電発生時も通信ハブの取り外し時も、電力量計１０から出力される直流電圧が途絶える。しかし、停電時は直流電圧は徐々に低下し、取り外し時は直流電圧は直ちにLowとなる。
【００６８】
ＧＰＩ１端子のLow→Highの変化をトリガとして停電か否かを判定する。具体的には、ＧＰＩ１端子がHighであることを所定回数検出すると、停電の発生を検出する。その後、ＧＰＩ１端子のHigh→Lowの変化あるいはパワーオンリセットから一定時間経過をトリガとして電源が復旧されたか否かを判定する。具体的には、ＧＰＩ１端子がLowであり、ＡＤＣ端子がHighであることを所定回数検出すると、停電からの復旧を検出する。
【００６９】
ＧＰＩ２端子のHigh→Lowの変化をトリガとして取り外されたか否かを判定する。具体的には、ＧＰＩ１端子がHighであることを所定回数検出すると、取り外しを検出する。その後、ＧＰＩ１端子のHigh→Lowの変化あるいはパワーオンリセットから一定時間経過をトリガとして再装着か否かを判定する。具体的には、ＧＰＩ１端子がLowであり、ＧＰＩ２端子がHighであり、ＡＤＣ端子がHighであることを所定回数検出すると、再装着を検出する。
【００７０】
通信ハブにおいて、停電発生時と通信ハブ取り外し時（タンパー時）の両方の状況で電力量計からの電力供給が停止する。停電発生時とタンパー時を識別する為には、タンパー検出端子が取り外しと同時にLow→Highへ変化（ＧＰＩ２端子がHigh→Lowへ変化）しなければならないが、トランスの１次側の電圧は電力量計からの電圧の供給が途絶えると、電源が存在しないので、タンパー検出端子が変化できない。しかし、実施例では、タンパー検出端子MT_PRの電圧で動作するフォトカプラ６８の１次側には電力量計から出力される直流電圧が充電されるキャパシタ６２が接続されるので、電力量計からの電圧の供給が途絶えてもタンパー検出端子をLow→Highへ変化させることができる。これにより、電力量計から出力される直流電圧が途絶えた場合、原因が停電なのか通信ハブの取り外しなのかを識別することができる。
【００７１】
図１１は変形例の回路図である。図１では、抵抗６６、１４を介してＤＣ１２Ｖラインからライブラインへの電流経路が常時存在し、消費電力が問題となる場合がある。この電流を減らすことが出来る変形例を図１１に示す。フォトカプラ６８に直列にＭＯＳＦＥＴ９４が接続される。ＭＯＳＦＥＴ９４の一端は、フォトカプラ６８のＬＥＤのカソードに接続され、他端はライブラインに接続される。抵抗６６と抵抗１４との接続点がＭＯＳＦＥＴ９４のゲートに接続される。フォトカプラ６８のＬＥＤのアノードは抵抗９２を介して抵抗６６とダイオード６４との接続点に接続される。抵抗６６の抵抗値は図１では５００Ωであったが、図１１では１０ｋΩとすることができる。抵抗１４の抵抗値は図１と同じく１０Ωである。図１１で追加された抵抗９２の抵抗値は１ｋΩである。このようにＭＯＥＦＥＴ９４をフォトカプラ６８に接続することにより、ＤＣ１２Ｖラインからライブラインへの電流経路中の抵抗６６の抵抗値を高くすることが出来、ＤＣ１２Ｖラインからライブラインへ流れる電流値を小さくすることができる。
【００７２】
なお、本発明は上記実施形態そのままに限定されるものではなく、実施段階ではその要旨を逸脱しない範囲で構成要素を変形して具体化できる。例えば、各信号のHigh、Lowのレベルは上記の逆でも良く、その場合は検出する変化も逆にすればよい。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７３】
１０…電力量計、１４…プルダウン抵抗、１６…ジグビーデバイス、２２…トランス、３０…アップコンバータ、３２…２Ｇ／３Ｇデバイス、３８…ジグビーデバイス、４８…ＲＦメッシュデバイス、５６,６８…フォトカプラ、９４…ＭＯＳＦＥＴ。
【図１】
2016084159.tif 000003
【図２】
2016084159.tif 000004
【図３】
2016084159.tif 000005
【図４】
2016084159.tif 000006
【図５】
2016084159.tif 000007
【図６】
2016084159.tif 000008
【図７】
2016084159.tif 000009
【図８】
2016084159.tif 000010
【図９】
2016084159.tif 000011
【図１０】
2016084159.tif 000012
【図１１】
2016084159.tif 000013
【国際調査報告】
2016084159.tif 000014
2016084159.tif 000015